(57)【要約】【課題】誤操作やいたずらによる誤動作を防止することができる火災受信機を提供する。【解決手段】火災受信機１は、操作無効設定スイッチ１１と、その操作無効設定スイッチが操作されたときには、火災受信機の操作部に設けた全ての操作スイッチの機能を無効に設定する制御処理部１０とを設けている。【選択図】図１
2004086467.tif 000002
【特許請求の範囲】
【請求項１】
監視回線を介して接続された火災感知器および／もしくは火災発信機からの発報信号を受信したときに火災を検知して、警報音を出力し、あるいは防排煙機器を連動制御する火災受信機において、
操作無効設定スイッチと、その操作無効設定スイッチが操作されたときには、火災受信機の操作部に設けた全ての操作スイッチの機能を無効に設定する制御処理部とを設けたことを特徴とする火災受信機。
【請求項２】
請求項１において、
上記操作無効設定スイッチは、無効設定専用のハードウェアスイッチであり、このスイッチを操作する度に、上記操作部に設けた全ての操作スイッチの機能を、有効、無効に切替え設定する構成にしていることを特徴とする火災受信機。
【請求項３】
請求項１において、
上記操作無効設定スイッチは、上記操作部に設けた操作スイッチのうちから予め特定された複数の操作スイッチと兼用しており、これらの操作スイッチを同時に操作する度に、上記全ての操作スイッチの機能を、有効、無効に切替え設定することを特徴とする火災受信機。
【請求項４】
請求項１において、
上記操作無効設定スイッチは、上記操作部に設けた操作スイッチのうちから予め特定された単一の操作スイッチと兼用しており、この操作スイッチを所定時間以上の長押し操作する度に、上記全ての操作スイッチの機能を、有効、無効に切替え設定することを特徴とする火災受信機。
【請求項５】
請求項１において、
上記操作無効設定スイッチは、上記操作部に設けた操作スイッチのうちから予め特定された複数の操作スイッチ、及び、上記操作部に設けた操作スイッチのうちから予め特定された単一の操作スイッチと兼用しており、上記複数の操作スイッチの同時操作、又は、上記単一の操作スイッチの所定時間以上の長押し操作のいずれかを操作する度に、上記全ての操作スイッチの機能を、有効、無効に切替え設定することを特徴とする火災受信機。
【請求項６】
請求項３〜５のいずれかにおいて、
操作無効設定スイッチとして機能する専用の操作無効ハードウェアスイッチをさらに備えている火災受信機。
【請求項７】
請求項３〜６のいずれかにおいて、
上記同時操作、長押し操作によって、操作無効設定スイッチとして機能させる操作スイッチを予め登録する手段をさらに備えている火災受信機。
【請求項８】
請求項１〜７のいずれかにおいて、
上記制御処理部は、上記操作無効に設定されているときに、上記監視回線を介して接続された火災感知器および／もしくは火災発信機からの発報信号、火災受信機に設けた火災報知ボタンの操作などによって、実火災を判断したときには、上記操作無効を自動的に解除する動作をなす火災受信機。
【請求項９】
請求項８において、
上記操作無効を自動的に解除する動作を許諾するか、禁止するかを設定する設定手段をさらに備えている火災受信機。
【請求項１０】
請求項１〜９のいずれかにおいて、
上記有効、無効設定の状態を報知する表示手段をさらに備えている火災受信機。
【請求項１１】
請求項１〜１０のいずれかにおいて、
上記有効、無効の設定状態を記憶する手段と、
上記操作部のいずれかの操作スイッチが操作されたときに、上記有効、無効設定を音声で報知する音声報知手段をさらに備えている自火報受信機。
【発明の詳細な説明】
【０００１】
【発明の属する技術分野】
本発明は、火災感知器などの信号をもとに火災を検知する火災受信機の改良に関する。
【０００２】
【従来の技術】
近時、ビルやマンションには、火災感知器で火災を検知してこれを報知する自動火災報知システムが導入されている。
【０００３】
この種のシステムでは、警備室や管理人室などに、各所に設置した火災感知器で検知した火災信号を受信して火災報知を行う火災受信機を設置している。この火災受信機は、各住戸や共通フロアなど適所に設置した火災感知器の動作を監視し、火災を検知したときには警報音を出力し、または防火シャッターなどの防排煙機器を連動制御する。
【０００４】
一般に、この種の火災受信機には、上記の制御動作を停止させるための音響停止スイッチや連動制御停止スイッチ、動作試験のためのスイッチなどを備えた操作パネルが、施工業者や管理人により容易に操作可能な受信機前面などに設けられている。
【０００５】
図７は、従来の火災受信機の操作パネルを示した図である。
【０００６】
火災受信機１００の前面には、表に露出された主機能操作表示部１０１ａと点検操作カバー（不図示）で隠蔽された副機能操作表示部１０１ｂからなる操作パネル１０１が設けられている。
【０００７】
【発明が解決しようとする課題】
ところで、このような操作パネル１０１は受信機前面など操作容易な箇所に設けられているため、施工業者や管理人以外の者でも簡単に操作することが可能である。たとえ副機能操作表示部１０１ｂが点検操作カバーで覆われていても、いたずら目的であれば、点検操作カバーを開けて操作することは容易である。
【０００８】
このような無意識の接触による誤操作やいたずら操作の結果、誤った復旧動作や誤った設定変更などのトラブルが発生する可能性があった。
【０００９】
本発明は、このような事情を考慮して提案されたもので、その目的は、誤操作やいたずらによる誤動作を防止することができる火災受信機を提供することにある。
【００１０】
【課題を解決するための手段】
上記目的を達成するために、請求項１に記載の火災受信機は、監視回線を介して接続された火災感知器および／もしくは火災発信機からの発報信号を受信したときに火災を検知して、警報音を出力し、あるいは防排煙機器を連動制御する火災受信機であって、次の特徴を有する。
【００１１】
すなわち、火災受信機は、操作無効設定スイッチと、その操作無効設定スイッチが操作されたときには、火災受信機の操作部に設けた全ての操作スイッチの機能を無効に設定する制御処理部とを設けている。これにより、誤操作、いたずら防止を図ることができる。
【００１２】
請求項２では、操作無効設定スイッチは無効設定専用のハードウェアスイッチで構成されており、このスイッチを操作する度に、操作部に設けた全ての操作スイッチの機能を、有効、無効に切替え設定するようにしている。
【００１３】
請求項３では、操作無効設定スイッチは、操作部に設けた操作スイッチのうちから予め特定された複数の操作スイッチと兼用しており、これらの操作スイッチを同時に操作する度に、全ての操作スイッチの機能を、有効、無効に切替え設定するようにしている。
【００１４】
請求項４では、操作無効設定スイッチは、操作部に設けた操作スイッチのうちから予め特定された単一の操作スイッチと兼用しており、この操作スイッチを所定時間以上の長押し操作する度に、全ての操作スイッチの機能を、有効、無効に切替え設定するようにしている。
【００１５】
請求項５では、操作無効設定スイッチは、操作部に設けた操作スイッチのうちから予め特定された複数の操作スイッチ、及び、操作部に設けた操作スイッチのうちから予め特定された単一の操作スイッチと兼用しており、複数の操作スイッチの同時操作、又は、単一の操作スイッチの所定時間以上の長押し操作のいずれかを操作する度に、全ての操作スイッチの機能を、有効、無効に切替え設定する構成となっている。
【００１６】
請求項６では、請求項３〜５において、操作無効設定スイッチとして機能する専用の操作無効ハードウェアスイッチをさらに備えている。
【００１７】
請求項７では、同時操作、長押し操作によって、操作無効設定スイッチとして機能させる操作スイッチを予め登録する手段をさらに備えている。
【００１８】
請求項８では、制御処理部は、操作無効に設定されているときに、監視回線に接続した火災感知器および／もしくは火災発信機からの発報信号、火災受信機に設けた火災報知ボタンの操作などによって、実火災を判断したときには、操作無効を自動的に解除する動作をなすようにしている。
【００１９】
請求項９では、操作無効を自動的に解除する動作を許諾するか、禁止するかを設定する設定手段をさらに備えている。
【００２０】
請求項１０では、有効、無効設定の状態を報知する表示手段をさらに備えている。
【００２１】
請求項１１では、有効、無効の設定状態を記憶する手段と、操作部のいずれかの操作スイッチが操作されたときに、有効、無効設定を音声で報知する音声報知手段をさらに備えている。
【００２２】
【発明の実施の形態】
以下に、本発明の実施の形態について添付図面とともに説明する。
【００２３】
図２は、本発明の火災受信機１を備えた自火報システムのシステムブロック図である。
【００２４】
火災受信機１には、監視回線Ｌ１と制御回線Ｌ２が導出されており、監視回線Ｌ１には火災感知器Ｓや火災発信機Ｐなどが、制御回線Ｌ２には地区ベルＢや防火シャッター、防火ダンパーなどの防排煙機器２が接続されている。
【００２５】
火災受信機１は、火災感知器Ｓや火災発信機Ｐからの発報信号を受信すると、火災を検知し、火災受信機１自ら警報音を出力し、地区ベルＢで警報音を出力させ、防排煙機器２を連動制御する。なお、火災受信機には、警報音出力と連動制御が可能な図２に示す複合受信機のほか、火災報知のみを目的とする自火報受信機も含む。
【００２６】
図１は、本発明の火災受信機の要部構成例を示すブロック図である。
【００２７】
この火災受信機１は、上記の火災発報時の基本動作を実行するために、監視回線Ｌ１からの信号を受信して火災を検知する火災受信回路１７および火災検知部１６と、受信した信号や操作により各種制御処理を行う制御処理部１０と、制御処理部１０の出力信号にもとづき各種機器の出力を行う制御出力部１８および火災送信回路１９とを備えているほか、制御停止や動作試験のための各種操作スイッチを設けた操作部１３と、動作状態等を表示する表示部１４とを備えている。
【００２８】
さらに、この火災受信機１は、操作無効設定スイッチ１１と、操作無効設定スイッチ登録手段１２と、この操作無効設定スイッチ１１により操作無効に設定されているかどうかを表示する表示ランプまたは液晶表示部などで構成された表示手段１５と、設定状態が有効か無効かを記憶する記憶手段２０と、有効、無効の設定状態を音声ガイドするための音声報知手段２１を備えている。
【００２９】
この操作無効設定スイッチ１１が操作されたときには、制御処理部１０により、操作部１３に設けたすべての操作スイッチは無効に設定される。すなわち、操作無効設定スイッチ１１の操作後には、すべてのスイッチ機能が働かなくなり、誤操作防止が実現できる。
【００３０】
また、記憶手段２０には操作有効または無効の設定状態が記憶され、無効状態のときに操作部１３のスイッチが操作されれば、音声報知手段２１で設定状態を音声ガイドする。
【００３１】
これにより、故障でないことが容易に把握でき、不審者に対して威嚇することもできる。
【００３２】
ここで、操作無効設定スイッチ１１は、オルタネート型の押しボタンで構成された操作無効設定専用のハードウェアスイッチであり、いちど押下して操作無効に設定したのち再度押下すると、すべての操作スイッチは再び有効に切替え設定される。なお、ハードウェアスイッチはこのようなオルタネート型のものに限られず、トグルスイッチ、レバースイッチ、スライドスイッチあるいはディップスイッチなどでもよい。
【００３３】
図３は、本発明の火災受信機の操作パネルを示す図である。
【００３４】
火災受信機１の操作部１３および表示部１４は、受信機前面１ａ側に設けた操作パネルＡ上に配置しており、火災発報時に操作する音響停止や復旧用のスイッチおよび表示ランプは主機能操作部１３ａに、動作試験用のスイッチおよび表示ランプは点検操作カバー（不図示）で隠蔽された副機能操作部１３ｂに設けられている。
【００３５】
操作無効設定スイッチ１１として機能する専用のハードウェアスイッチｓｗ１は副機能操作部１３ｂに設けられており、操作無効設定用の表示ランプ１５はスイッチｓｗ１の操作により無効に設定されると点灯し、有効に切り替えると消灯する。なお、点検操作カバーだけでは簡単操作防止に不十分な場合には、操作無効ハードウェアスイッチｓｗ１は、長押し操作のみに対応させてもよい。
【００３６】
この例では、操作無効ハードウェアスイッチｓｗ１を操作パネルＡ上に設けているが、その他の位置に設置してもよい。例えば図４に示すように、受信機内部の操作パネルＡの裏面（図４（ａ））や、受信機内に挿着されているプリント基板（図４（ｂ））に設けてもよい。また、表示ランプ１５は受信機上部に取付けてもよい（図４（ａ））。
【００３７】
このように受信機内部に操作無効設定スイッチ１１を設ければ、接触による誤操作をされることがなく、いたずら操作も防止できる。
【００３８】
次に、操作部１３の音響停止や復旧用の操作スイッチなど他機能を有するスイッチを特殊操作して操作無効設定ができるようにした操作無効設定スイッチについて説明する。
【００３９】
図５は、本発明の火災受信機の操作パネルの他例を示す図である。
【００４０】
この火災受信機１´の操作パネルＢには操作無効設定専用のハードウェアスイッチはなく、その代わりに、特殊操作をして無効設定ができるようにした複数の兼用スイッチｓｗ２、ｓｗ３が操作無効設定スイッチ１１として設けられている。すなわち、火災が発生していない通常監視時に復旧スイッチｓｗ２と音響停止ｓｗ３を同時操作すれば、本来の復旧、音響停止機能は働かず、無効設定機能として作動する。
【００４１】
ここで、同時操作とは、スイッチｓｗ２、ｓｗ３の同時押しや、特殊なシーケンス（ｓｗ２→ｓｗ３順、またはその逆）による連続押しを含む。なお、これらの兼用スイッチは３つ以上であってもよい。
【００４２】
また、これらの兼用スイッチｓｗ２、ｓｗ３とは別に、所定時間以上の長押し操作をして無効設定が可能な兼用スイッチｓｗ４も設けられている。この兼用スイッチｓｗ４は、図例では火災試験スイッチｓｗ４に割り当てられており、これを長押し操作すると、本来の火災試験機能は働かず、無効設定機能として作動する。
【００４３】
操作無効設定スイッチ１１として機能するこれらの兼用スイッチｓｗ２、ｓｗ３、ｓｗ４は、テーブルなどで構成された操作無効設定スイッチ登録手段１２（図１）に登録される。
【００４４】
兼用スイッチ操作は一種の暗証番号入力操作のようなものなので、管理人が定期的にスイッチ割当を変更するようにすれば、操作方法を管理人以外の者に知られることなく、いたずら操作が確実に防止できる。
【００４５】
また、同時操作用のスイッチｓｗ２、ｓｗ３、長押し操作用のスイッチｓｗ４はいずれか一方でもよく、また、図３、図４で示すようなハードウェアスイッチと併用してもよい。
【００４６】
図６は、火災発生時および火災復旧時の有効／無効の設定変化を示すフローチャートである。
【００４７】
上述するように、操作無効設定スイッチ１１が操作されたときには操作スイッチ機能を無効に設定し、再び操作無効設定スイッチ１１が操作されたときに有効に戻すものであるが、実火災を判断したときに無効設定状態であれば操作無効を自動的に解除して操作有効な状態に切り替え、復旧操作などがすぐに行えるようにしている（図６（ａ）のステップ１０１〜１０３）。
【００４８】
ここで、実火災を判断したときとは、制御処理部１０が、監視回線を通じて火災受信機１に接続されている火災感知器Ｓから発報信号を受信したとき、監視回線に接続付加されている火災発信機Ｐの報知ボタンが操作されたときなどが含まれる。
【００４９】
その後、火災復旧を判断したときには、操作無効の自動解除がされていれば、設定を自動的に操作無効に戻す（図６（ｂ）のステップ２０１〜２０３）。
【００５０】
なお、フローチャート中に示した自動切替フラグは、自動解除がされたことを復旧処理時に判断するために用いる（ステップ１０３、２０１）。
【００５１】
このように、火災復旧により有効から無効に自動的に切替え設定しているので、再度無効に設定する必要がない。
【００５２】
また、上記の火災発生時の自動設定変更を許諾または抑止するために、例えばディップスイッチのような設定手段を備えてもよい。管理人等の意思によらない設定変更を防止するためである。
【００５３】
【発明の効果】
以上の説明からも理解できるように、請求項１に記載の火災受信機は、操作無効設定スイッチを設けて、これにより全ての操作スイッチ機能を無効に設定できるようにしているので、誤操作、いたずら防止を容易に実現することができる。
【００５４】
請求項２では、操作無効設定スイッチが専用のハードウェアスイッチで構成されているため、操作が容易であるとともに、スイッチを受信機内部に設けることもできる。受信機内部にハードウェアスイッチを設けることにより、接触による誤操作の減少を図ることができる。
【００５５】
請求項３〜６では、複数スイッチの同時操作または長押し操作で無効設定できるようにしているため、管理人や施工業者以外の者に簡単に操作されることがない。特に請求項３〜５では、専用の操作無効ハードウェアスイッチを設けていないため、操作パネルのスペースを有効に活用できる。また請求項６では、専用のハードウェアスイッチを併用しているため、同時操作方法や長押し操作方法を忘れた場合にハードウェアスイッチで対応することができる。
【００５６】
請求項７では、同時操作、長押し操作によって操作無効設定スイッチとして機能させる操作スイッチを登録する手段を備えているので、管理人等によって適宜変更して利用することができ、定期的に変更することにより、いたずら操作を確実に防止できる。
【００５７】
請求項８では、実火災を判断したときに操作無効となっていればこれを自動的に解除しているので、火災に対する迅速な対応操作をすることができる。また、復旧で元に戻るようにすれば、再び無効に切替え設定する手間が省ける。
【００５８】
請求項９では、火災発生時の自動設定切替えを許諾または抑止するための設定手段を備えているので、管理人等の意思によらない設定変更を防止することができる。
【００５９】
請求項１０では、有効、無効設定の状態を報知する表示手段を備えているため、管理人等の操作者にとって便利である。
【００６０】
請求項１１では、操作無効状態での操作部操作に対して、音声で無効である旨を報知するので、故障でないことが容易に把握できる。また、不審者に対して威嚇する効果もある。
【図面の簡単な説明】
【図１】本発明の火災受信機の要部構成例を示すブロック図である。
【図２】本発明の火災受信機を備えた自火報システムのシステムブロック図である。
【図３】本発明の火災受信機の操作パネルを示す図である。
【図４】操作無効設定スイッチの設置例を示す図である。
【図５】本発明の火災受信機の操作パネルの他例を示す図である。
【図６】火災発生時および火災復旧時の有効／無効の設定変化を示すフローチャートである。
【図７】従来の火災受信機の操作パネルを示す図である。
【符号の説明】
１・・・火災受信機
１０・・・制御処理部
１１・・・操作無効設定スイッチ
１２・・・操作無効設定スイッチ登録手段
１３・・・操作部
ｓｗ１・・・操作無効ハードウェアスイッチ（専用スイッチ）
ｓｗ２、ｓｗ３・・・同時操作用兼用スイッチ
ｓｗ４・・・長押し操作用兼用スイッチ
１４・・・表示部
１５・・・操作無効報知用表示ランプ
２０・・・設定状態記憶手段
２１・・・音声報知手段
【図１】
2004086467.tif 000003
【図２】
2004086467.tif 000004
【図３】
2004086467.tif 000005
【図４】
2004086467.tif 000006
【図５】
2004086467.tif 000007
【図６】
2004086467.tif 000008
【図７】
2004086467.tif 000009